(57)【要約】【課題】室内設備について省エネを実現し、かつ、個人の嗜好に応じて調節可能にする。【解決手段】タグセンサ１は、入退室者のＩＣタグ５のＩＤを検出し、管理サーバ６の認証結果に応じて入退室ゲートＧの開閉を制御する。タグリーダ２は、着席した利用者のＩＣタグ５のＩＤ及び座席ＳのＩＤを管理サーバ６に送信する。照明器具３は及び冷暖房器具４は、管理サーバ６に従う中央制御装置７の制御で運転を開始及び停止する。管理サーバ６は、タグセンサ１からＩＣタグ５のＩＤを受信し、入室時、ＩＤの認証結果をタグセンサ１に送信する。退室時、ＩＤに対応する座席Ｓの照明器具３及び冷暖房器具４を停止するように、中央制御装置７に指示する。また、タグリーダ２からＩＣタグ５のＩＤ及び座席ＳのＩＤを受信し、ＩＣタグ５のＩＤの利用者の嗜好に応じて、座席ＳのＩＤの座席Ｓの照明器具３及び冷暖房器具４の運転を開始するように、中央制御装置７に指示する。【選択図】図３
2010151341.tif 000002
【特許請求の範囲】
【請求項１】
部屋の中に設置された席ごとに設けられた照明器具及び空調機器を含む設備と、
前記部屋への入室を許可された個人に固有の個人識別情報と、当該個人の嗜好に応じた前記設備の運転条件とを対応付けて予め記憶する個人情報記憶手段と、
前記席ごとに設けられ、当該席に着いた個人の前記個人識別情報を取得する個人情報取得手段と、
前記個人情報取得手段により取得された前記個人識別情報に対応付けられた前記運転条件に従って、当該席に設けられた前記設備の運転を開始する設備制御手段と、
を備えることを特徴とする室内設備制御システム。
【請求項２】
請求項１に記載の室内設備制御システムであって、
前記部屋から退室するゲートに設けられ、個人の退室を検知し、当該個人の前記個人識別情報を取得する退室検知手段と、
前記個人情報取得手段により取得された前記個人識別情報に対応付けて、当該個人情報取得手段が設けられた席に固有の席識別情報を前記個人情報記憶手段に記憶する席情報設定手段と、
をさらに備え、
前記設備制御手段は、前記個人情報記憶手段を参照して、前記退室検知手段が取得した前記個人識別情報に対応した前記席識別情報を特定し、当該席識別情報の示す席に設けられた前記設備の運転を停止する
ことを特徴とする室内設備制御システム。
【請求項３】
請求項２に記載の室内設備制御システムであって、
前記個人情報記憶手段を参照して、前記退室検知手段が取得した前記個人識別情報に対応した前記席識別情報を消去する席情報消去手段をさらに備え、
前記設備制御手段は、前記個人情報取得手段により取得された前記個人識別情報に対応して前記席識別情報が既に記憶されているとき、当該席識別情報の示す席に設けられた前記設備の運転を停止する
ことを特徴とする室内設備制御システム。
【請求項４】
請求項１ないし請求項３のいずれか一項に記載の室内設備制御システムであって、
前記個人識別情報は、当該個人が携帯する、外部から内部のデータを読み出せる素子の当該データ、又は当該個人の生体情報である
ことを特徴とする室内設備制御システム。
【請求項５】
請求項１ないし請求項４のいずれか一項に記載の室内設備制御システムであって、
前記設備の運転条件は、前記照明器具の照度及び前記空調設備の温度である
ことを特徴とする室内設備制御システム。
【発明の詳細な説明】
【技術分野】
【０００１】
本発明は、個人の着席状況や嗜好に応じて照明器具、空調機器等の設備を運転する室内設備制御システムに関する。
【背景技術】
【０００２】
省エネを目的として、部屋の中のエリアごとに空調機器や照明器具を設け、部屋の入退室時にＩＣタグ等により個人認証を行い、当該個人の席を含む所定のエリアの空調機器等の設備をオン、オフする方法がある（例えば、特許文献１を参照）。
【特許文献１】特開２００５−２１４４９５号公報
【発明の開示】
【発明が解決しようとする課題】
【０００３】
しかしながら、この方法では、各個人の席が決まっているので、部屋の中を移動して他の席に着いても、その席を含むエリアの空調等の設備は作動せず、不便である。また、個人の嗜好に合わせて空調機器の温度や照明器具の照度を調節することもできない。
【０００４】
本発明は、上記課題を鑑みてなされたものであり、その主たる目的は、室内設備について省エネを実現し、かつ、個人の嗜好に応じて調節可能にすることにある。
【課題を解決するための手段】
【０００５】
上記課題を解決するために、本発明は、室内設備制御システムであって、部屋の中に設置された席ごとに設けられた照明器具及び空調機器を含む設備と、前記部屋への入室を許可された個人に固有の個人識別情報と、当該個人の嗜好に応じた前記設備の運転条件とを対応付けて予め記憶する個人情報記憶手段と、前記席ごとに設けられ、当該席に着いた個人の前記個人識別情報を取得する個人情報取得手段と、前記個人情報取得手段により取得された前記個人識別情報に対応付けられた前記運転条件に従って、当該席に設けられた前記設備の運転を開始する設備制御手段と、を備えることを特徴とする。
【０００６】
この構成によれば、個人が部屋の中のいずれかの席に着くと、照明器具や空調機器の設備の運転が開始するので、入室したら即運転するのとは異なり、設備が無駄に運転する時間がなく、省エネを図ることができる。また、予め個人の嗜好に応じた設備の運転条件が記憶されており、その運転条件に従って、個人の着いた席に設けられた設備を運転することができるので、いずれの席に着いても快適に過ごすことができる。
【０００７】
また、本発明は、室内設備制御システムであって、前記部屋から退室するゲートに設けられ、個人の退室を検知し、当該個人の前記個人識別情報を取得する退室検知手段と、前記個人情報取得手段により取得された前記個人識別情報に対応付けて、当該個人情報取得手段が設けられた席に固有の席識別情報を前記個人情報記憶手段に記憶する席情報設定手段と、をさらに備え、前記設備制御手段が、前記個人情報記憶手段を参照して、前記退室検知手段が取得した前記個人識別情報に対応した前記席識別情報を特定し、当該席識別情報の示す席に設けられた前記設備の運転を停止することを特徴とする。
【０００８】
この構成によれば、席を離れたとしても、部屋の中を動き回るだけでは設備を停止することはなく、部屋から退室したときに、着いていた席の設備を停止するので、設備を効率よく運転することができ、かつ、省エネを図ることができる。
【０００９】
また、本発明は、室内設備制御システムであって、前記個人情報記憶手段を参照して、前記退室検知手段が取得した前記個人識別情報に対応した前記席識別情報を消去する席情報消去手段をさらに備え、前記設備制御手段が、前記個人情報取得手段により取得された前記個人識別情報に対応して前記席識別情報が既に記憶されているとき、当該席識別情報の示す席に設けられた前記設備の運転を停止することを特徴とする。
【００１０】
この構成によれば、個人が部屋の中で席を移動した場合に、移動した後の席に設けられた設備を運転するだけでなく、移動する前の席に設けられた設備を停止することができるので、さらに省エネを図ることができる。
【００１１】
また、本発明は、室内設備制御システムであって、前記個人識別情報が、当該個人が携帯する、外部から内部のデータを読み出せる素子の当該データ、又は当該個人の生体情報であることを特徴とする。
【００１２】
また、本発明は、室内設備制御システムであって、前記設備の運転条件が、前記照明器具の照度及び前記空調設備の温度であることを特徴とする。
【００１３】
その他、本願が開示する課題及びその解決方法は、発明を実施するための最良の形態の欄、及び図面により明らかにされる。
【発明の効果】
【００１４】
本発明によれば、室内設備について省エネを実現し、かつ、個人の嗜好に応じて調節可能にすることができる。
【発明を実施するための最良の形態】
【００１５】
以下、図面を参照しながら、本発明を実施するための最良の形態を説明する。本発明の実施の形態に係る室内設備制御システムでは、部屋に入室した後、個別照明、個別空調、かつ、フリーアドレスの席で個人認証すると、予め当該入室者の嗜好に応じて設定された運転条件に従って照明器具及び空調機器が作動開始する。また、部屋から退室する際の個人認証により、照明器具及び空調機器が切れるようにする。さらに、個人が部屋の中で席を移動した場合、移動先の席で個人認証をすることにより、移動先の席で個人の運転条件に従って照明器具及び空調機器が作動開始するとともに、移動前の席で照明器具及び空調機器が停止する。
【００１６】
これによれば、部屋の中のいずれの席に着いても、個人の嗜好に応じた照明及び空調を得ることができ、かつ、省エネにもなる。
【００１７】
なお、空調機器には、例えば、冷房装置、暖房装置、除湿器、加湿器、換気装置、空気清浄装置、扇風機等がある。
【００１８】
≪システム及びその周辺の構成と概要≫
図１は、室内設備制御システムが適用される部屋の構成を示す図である。図１（ａ）は、部屋Ｒ全体の構成を示す。部屋Ｒは、入退室ゲートＧ及び複数（図では、３２個）の座席Ｓを備える。入退室ゲートＧは、部屋Ｒの利用者（個人）が入退室時に必ず通過する出入口であり、タグセンサ１が設けられる。タグセンサ１は、利用者の携帯するＩＣタグ５のＩＤを検出する。座席Ｓは、部屋Ｒに入室した利用者が着く席であり、フリーアドレス（利用者と座席Ｓとの対応が決まっておらず、利用者はどの座席Ｓに着いてもよい。）になっている。
【００１９】
図１（ｂ）は、座席Ｓの構成を示し、特に、利用者が矢印の方向から着く場合の座席Ｓに備わる設備の位置を示すものである。座席Ｓは、タグリーダ２、照明器具３及び冷暖房器具４を備える。タグリーダ２は、利用者から見て座席Ｓの左側の奥に設置され、利用者のＩＣタグ５のＩＤを検出する。照明器具３は、利用者から見て座席Ｓの中央の奥に設置される。冷暖房器具４は、利用者から見て座席Ｓの手前に設置される。
【００２０】
図２は、入退室ゲート及び室内設備の具体例を示す図である。図２（ａ）は、入室制御イメージを示し、特に、入退室ゲートＧ及びその周辺の断面図を示す。ＩＣタグ５を携帯した利用者は、外部からセキュリティゾーンである部屋Ｒに入室するために自動ドアＤに接近する。そのとき、自動ドアＤの外側の床下に設置されたトリガアンテナＴａがトリガ信号を発信し、ＩＣタグ５がそのトリガ信号を受信し、それを契機にしてＩＤを発信する。タグセンサ１ａは、ＩＣタグ５のＩＤを受信し、管理サーバ（図示せず）とのデータ通信によりＩＤが認証されたときに、ドアセンサＤａに自動ドアＤを開くように指示する。ドアセンサＤａは、その指示を受けて、自動ドアＤを開放する。これにより、利用者は、部屋Ｒに入室することができる。なお、利用者が部屋Ｒから退室するために、部屋Ｒ内から自動ドアＤに接近した場合には、自動ドアＤの内側に設置されたトリガアンテナＴｂ、タグセンサ１ｂ及びドアセンサＤｂが動作することにより、自動ドアＤが開放される。
【００２１】
図２（ｂ）は、照明器具及び冷暖房器具との連動イメージを示し、特に、座席Ｓ及びその周辺の正面図を示す。座席Ｓにおいては、机の上にタグリーダ２が設置され、机の下に冷温水による輻射式の冷暖房器具４が設置される。天井には、各座席Ｓを照らす照明器具３が設置される。なお、冷暖房器具４として床吹出が備わっている場合には、個別の座席Ｓごとに制御するようにしてもよい。タグリーダ２は、ＩＣタグ５のＩＤを検出すると、そのＩＤを座席Ｓの識別情報とともに管理サーバ６に送信する。管理サーバ６は、座席Ｓの識別情報を中央制御装置７に送信する。中央制御装置７は、座席Ｓの識別情報に従って、該当する照明器具３及び冷暖房器具４の運転を開始する。
【００２２】
図３は、室内設備制御システムの構成を示す図である。室内設備制御システムＡは、タグセンサ１、タグリーダ２、照明器具３、冷暖房器具４、ＩＣタグ５、管理サーバ６及び中央制御装置７を備える。タグセンサ１は、入退室ゲートＧに設置され、入退室ゲートＧを通過する利用者の携帯するＩＣタグ５のＩＤを検出し、管理サーバ６に送信し、管理サーバ６からのメッセージに応じて入退室ゲートＧの開閉を制御する。タグリーダ２は、座席Ｓに設置され、当該座席Ｓに固有のＩＤを記憶する。そして、着席した利用者の携帯するＩＣタグ５のＩＤを検出し、そのＩＤを座席ＳのＩＤとともに管理サーバ６に送信する。照明器具３は、中央制御装置７の制御により点灯及び消灯が行われる。冷暖房器具４は、中央制御装置７の制御により運転の開始及び停止が行われる。ＩＣタグ５は、当該ＩＣタグ５を携帯する利用者に固有のＩＤを記憶し、そのＩＤをタグセンサ１及びタグリーダ２に送信する。
【００２３】
管理サーバ６は、タグセンサ１からＩＣタグ５のＩＤを受信し、利用者が部屋Ｒに入室する場合には、そのＩＤの認証を行い、その認証結果に応じた入室の許可又は不許可のメッセージをタグセンサ１に送信する。一方、利用者が部屋Ｒから退室する場合には、そのＩＤに対応する座席Ｓの照明器具３及び冷暖房器具４を停止するように中央制御装置７に指示する。そして、タグリーダ２からＩＣタグ５のＩＤ及び座席ＳのＩＤを受信し、ＩＣタグ５のＩＤに対応する利用者の嗜好に応じて、座席ＳのＩＤに対応する座席Ｓの照明器具３及び冷暖房器具４の運転を開始するように中央制御装置７に指示する。中央制御装置７は、管理サーバ６からの指示に従って、照明器具３及び冷暖房器具４の運転の開始及び停止を制御する。
【００２４】
図４は、管理サーバ６のハードウェア構成を示す図である。管理サーバ６は、通信部６１、表示部６２、入力部６３、処理部６４及び記憶部６５を備える。通信部６１は、タグセンサ１、タグリーダ２及び中央制御装置７とデータ通信を行う部分であり、例えば、ＮＩＣ（Network Interface Card）等によって実現される。表示部６２は、処理部６４からの指示によりデータを表示する部分であり、例えば、液晶ディスプレイ（ＬＣＤ：Liquid Crystal Display）等によって実現される。入力部６３は、オペレータがデータ（例えば、利用者ごとの嗜好に応じた照明器具の照度や空調機器の温度のデータ）を入力する部分であり、例えば、キーボードやマウス等によって実現される。処理部６４は、各部間のデータの受け渡しを行うととともに、管理サーバ６全体の制御を行うものであり、ＣＰＵ（Central Processing Unit）が所定のメモリに格納されたプログラムを実行することによって実現される。記憶部６５は、処理部６４からデータを記憶したり、記憶したデータを読み出したりするものであり、例えば、フラッシュメモリやハードディスク装置等の不揮発性記憶装置によって実現される。
【００２５】
≪データの構成≫
図５は、管理サーバ６の記憶部６５に記憶されるデータの構成を示す図である。利用者データ６５Ａは、部屋Ｒの利用者に関するデータであり、利用者ＩＤ６５Ａ１、照度６５Ａ２、温度６５Ａ３、入室フラグ６５Ａ４及び座席ＩＤ６５Ａ５を含むレコードからなる。利用者ＩＤ６５Ａ１は、部屋Ｒへの入室を許可された利用者（例えば、限定された社員等）に固有のＩＤであり、当該利用者の携帯するＩＣタグ５のＩＤが予め設定される。照度６５Ａ２は、照明器具３による照度であり、当該利用者の嗜好に合わせた照度又はその度合い（明るい、普通、薄暗い等）が予め設定される。温度６５Ａ３は、冷暖房器具４による温度であり、当該利用者の嗜好に合わせた温度又はその度合い（高い、普通、低い等）が予め設定される。照度６５Ａ２及び温度６５Ａ３は、照明器具３や冷暖房器具４に設定する運転条件であると言うこともできる。入室フラグ６５Ａ４は、当該利用者が部屋Ｒに入室しているか否かを示すフラグであり、入室時にオンに設定され、退室時にオフにクリアされる。座席ＩＤ６５Ａ５は、当該利用者が着いた座席Ｓに固有のＩＤであり、利用者が座席Ｓに着席し、携帯するＩＣタグ５のＩＤがタグリーダ２に検出されたときに設定され、利用者が部屋Ｒから退室したときにクリアされる。
【００２６】
≪システムの処理≫
図６は、利用者の入退室に係る室内設備制御システムＡの処理を示すフローチャートである。なお、管理サーバ６の記憶部６５に記憶されている利用者データ６５Ａのうち、部屋Ｒへの入室を許可された利用者の利用者ＩＤ６５Ａ１、照度６５Ａ２及び温度６５Ａ３は、事前に設定されているものとする。
【００２７】
まず、タグセンサ１が入室の利用者ＩＤを取得する（Ｓ６０１）。これは、図２（ａ）を例にすると、入退室ゲートＧの外側に設置されたタグセンサ１ａが、入室のために接近して来た利用者の携帯するＩＣタグ５からＩＤを受信したことを意味する。そして、タグセンサ１が入室の利用者ＩＤを管理サーバ６に送信する（Ｓ６０２）。この場合、「入室」であることを示すデータを利用者ＩＤに付加するものとする。
【００２８】
管理サーバ６は、タグセンサ１から入室の利用者ＩＤを受信する（Ｓ６０３）。そして、利用者ＩＤに付加されたデータにより「入室」であることが分かるので、当該利用者の入室を許可すべきか否かを判断するために、利用者ＩＤが登録済であるか否かを判定する（Ｓ６０４）。具体的には、処理部６４が、記憶部６５の利用者データ６５Ａのうち、利用者ＩＤ６５Ａ１を検索し、受信した利用者ＩＤが記憶されているか否かを判定する。
【００２９】
利用者ＩＤが登録済であれば（Ｓ６０４のＹ）、当該利用者が入室を許可された人であるので、管理サーバ６は、記憶部６５の利用者データ６５Ａのうち、当該利用者ＩＤ６５Ａ１に対応する入室フラグ６５Ａ４をオンに設定し（Ｓ６０５）、入室許可メッセージをタグセンサ１に送信する（Ｓ６０６）。入室許可メッセージの送信先は、入室の利用者ＩＤの送信元のタグセンサ１である。そのタグセンサ１（１ａ）は、管理サーバ６から入室許可メッセージを受信し（Ｓ６０７）、そのメッセージに従ってドアセンサＤａに自動ドアＤの開放を指示する（Ｓ６０８）。
【００３０】
一方、利用者ＩＤが登録されていなければ（Ｓ６０４のＮ）、当該利用者が入室を許可された人ではないので、管理サーバ６は、入室不許可メッセージをタグセンサ１に送信する（Ｓ６０９）。入室不許可メッセージの送信先は、入室の利用者ＩＤの送信元のタグセンサ１である。そのタグセンサ１は、管理サーバ６から入室不許可メッセージを受信し（Ｓ６１０）、そのメッセージに従ってドアセンサＤａや自動ドアＤに対しては何もしない。
【００３１】
さらに、タグセンサ１が退室の利用者ＩＤを取得する（Ｓ６２１）。これは、図２（ａ）を例にすると、入退室ゲートＧの部屋Ｒ側に設置されたタグセンサ１ｂが、退室のために接近して来た利用者の携帯するＩＣタグ５からＩＤを受信したことを意味する。そして、タグセンサ１が退室の利用者ＩＤを管理サーバ６に送信する（Ｓ６２２）。この場合、「退室」であることを示すデータを利用者ＩＤに付加するものとする。そして、タグセンサ１（１ｂ）は、ドアセンサＤｂに自動ドアＤの開放を指示する（Ｓ６２３）。
【００３２】
管理サーバ６は、タグセンサ１から退室の利用者ＩＤを受信する（Ｓ６２４）。そして、利用者ＩＤに付加されたデータにより「退室」であることが分かるので、記憶部６５の利用者データ６５Ａを参照し、当該利用者ＩＤ６５Ａ１に対応する座席ＩＤ６５Ａ５を特定し、当該座席ＩＤの座席Ｓに設けられた設備を停止するように中央制御装置７に指示する（Ｓ６２５）。そして、利用者データ６５Ａのうち、当該利用者ＩＤ６５Ａ１に対応する入室フラグ６５Ａ４及び座席ＩＤ６５Ａ５をクリアする（Ｓ６２６）。これにより、利用者データ６５Ａにおいて、当該利用者ＩＤ６５Ａ１の利用者が部屋Ｒから退室したことが示される。
【００３３】
中央制御装置７は、管理サーバ６から当該座席ＩＤの座席Ｓに設けられた設備（照明器具３及び冷暖房器具４）を停止する指示を受信し（Ｓ６２７）、当該設備の運転を停止する（Ｓ６２８）。これによれば、部屋Ｒから退室した利用者が着席していた座席Ｓの設備が停止されるので、省エネを図ることができる。また、離席時の設備電源の切り忘れを防止する一方、ちょっとした離席では（部屋Ｒの中にいる限りは）設備を停止しないようにすることができる。
【００３４】
図７は、利用者の着席に係る室内設備制御システムＡの処理を示すフローチャートである。まず、タグリーダ２が着席の利用者ＩＤを取得する（Ｓ７０１）。これは、図２（ｂ）を例にすると、座席Ｓの上に設置されたタグリーダ２が、着席した利用者の携帯するＩＣタグ５からＩＤを受信したことを意味する。そして、タグリーダ２が着席の利用者ＩＤ及び座席ＩＤを管理サーバ６に送信する（Ｓ７０２）。
【００３５】
管理サーバ６は、タグリーダ２から着席の利用者ＩＤ及び座席ＩＤを受信する（Ｓ７０３）。そして、記憶部６５の利用者データ６５Ａを参照し、受信した利用者ＩＤ６５Ａ１に対応する入室フラグ６５Ａ４が設定済か否かを判定する（Ｓ７０４）。当該入室フラグ６５Ａ４が設定されていなければ（Ｓ７０４のＮ）、当該利用者ＩＤ６５Ａ１の利用者は入退室ゲートＧを通過していないにもかかわらず、部屋Ｒに存在するという不適切な状態なので、管理サーバ６は、管理者等に警報を行う（Ｓ７０５）。なお、Ｓ７０４において、利用者データ６５Ａに受信した利用者ＩＤが存在するか否かの判定を追加してもよい。
【００３６】
一方、当該入室フラグ６５Ａ４が設定されていれば（Ｓ７０４のＹ）、管理サーバ６は、当該座席ＩＤ６５Ａ５が設定済か否かを判定する（Ｓ７０６）。当該座席ＩＤ６５Ａ５が既に設定されていれば（Ｓ７０６のＹ）、当該利用者が他の座席Ｓに着いていたことがある、すなわち、当該利用者が他の座席Ｓから現在の座席Ｓに移動したことを意味するので、設定済の座席ＩＤ６５Ａ５の座席Ｓに設けられた設備の停止を中央制御装置７に指示する（Ｓ７０７）。中央制御装置７は、当該座席Ｓに設けられた設備を停止する指示を管理サーバ６から受信し（Ｓ７０８）、当該設備の運転を停止する（Ｓ７０９）。これによれば、当該利用者が移動する前の座席Ｓに設けられた設備を停止するので、省エネを図ることができる。一方、当該座席ＩＤ６５Ａ５が設定されていなければ（Ｓ７０６のＮ）、管理サーバ６は、Ｓ７０７の処理をスキップする。
【００３７】
続いて、管理サーバ６は、Ｓ７０３で受信した新たな座席ＩＤ６５Ａ５を設定し（Ｓ７１１）、新たな座席ＩＤ６５Ａ５の座席Ｓに設けられた設備の運転を中央制御装置７に指示する（Ｓ７１２）。この場合、利用者データ６５Ａのうち、当該利用者ＩＤ６５Ａ１に対応する照度６５Ａ２及び温度６５Ａ３を中央制御装置７に通知する。中央制御装置７は、当該座席Ｓに設けられた設備を運転する指示を受信し（Ｓ７１３）、通知された照度６５Ａ２及び温度６５Ａ３に従って照明器具３及び冷暖房器具４の運転を開始する（Ｓ７１４）。
【００３８】
以上本発明の実施の形態について説明したが、図４に示す管理サーバ６内の各部を機能させるために、処理部６４で実行されるプログラムをコンピュータにより読み取り可能な記録媒体に記録し、その記録したプログラムをコンピュータに読み込ませ、実行させることにより、本発明の実施の形態に係る室内設備制御システムＡが実現されるものとする。なお、プログラムをインターネット等のネットワーク経由でコンピュータに提供してもよいし、プログラムが書き込まれた半導体チップ等をコンピュータに組み込んでもよい。
【００３９】
以上説明した本発明の実施の形態によれば、利用者が部屋Ｒの中のいずれかの座席Ｓに着くと、照明器具３や冷暖房器具４の設備の運転が開始するので、入室したら即運転するのとは異なり、設備が無駄に運転する時間がなく、省エネを図ることができる。また、管理サーバ６の記憶部６５内の利用者データ６５Ａに、利用者の嗜好に応じた照度６５Ａ２や温度６５Ａ３が予め記憶されており、そのデータに従って、利用者の着いた座席Ｓに設けられた照明器具３や冷暖房器具４を運転することができるので、いずれの座席Ｓに着いても快適に過ごすことができる。
【００４０】
また、利用者が座席Ｓを離れたとしても、部屋Ｒの中を動き回るだけでは設備を停止することはなく、部屋Ｒから退室したときに、着いていた座席Ｓの設備を停止するので、効率よく運転することができ、かつ、省エネを図ることができる。
また、利用者が部屋Ｒの中で座席Ｓを移動した場合に、移動した後の座席Ｓに設けられた設備を運転するだけでなく、移動する前の座席Ｓに設けられた設備を停止することができるので、さらに省エネを図ることができる。
【００４１】
≪その他の実施の形態≫
以上、本発明を実施するための最良の形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、以下のような実施の形態が考えられる。
【００４２】
（１）上記実施の形態では、利用者が携帯するものとしてＩＣタグ５を示したが、外部から内部のデータを読み出せる素子であればよく、例えば、ＩＣカードでもよく、また、ＩＣタグは、アクティブタグ及びパッシブタグのいずれであってもよい。また、個人を識別可能な情報であれば、携帯物のデータでなくてもよく、例えば、指紋や静脈パターン等の生体情報を用いて認証するようにしてもよい。
【００４３】
（２）室内設備制御システムＡが適用される部屋Ｒは、許可された利用者だけが利用可能な空間であればよく、例えば、図書室や会議室であってもよい。
【００４４】
（３）上記実施の形態では、室内設備として照明器具３や冷暖房器具４を示したが、それらに限定することなく、例えば、ＰＣ（Personal Computer）や電話機等であってもよい。
【図面の簡単な説明】
【００４５】
【図１】室内設備制御システムＡが適用される部屋の構成を示す図であり、（ａ）は部屋Ｒ全体の構成を示し、（ｂ）は座席Ｓの構成を示す。
【図２】入退室ゲート及び室内設備の具体例を示す図であり、（ａ）は入室制御イメージを示し、（ｂ）は照明器具及び冷暖房器具との連動イメージを示す。
【図３】室内設備制御システムＡの構成を示す図である。
【図４】管理サーバ６のハードウェア構成を示す図である。
【図５】管理サーバ６の記憶部６５に記憶されるデータの構成を示す図である。
【図６】利用者の入退室に係る室内設備制御システムＡの処理を示すフローチャートである。
【図７】利用者の着席に係る室内設備制御システムＡの処理を示すフローチャートである。
【符号の説明】
【００４６】
Ａ      室内設備制御システム
Ｇ      入退室ゲート（ゲート）
Ｒ      部屋
Ｓ      座席（席）
１      タグセンサ（退室検知手段）
２      タグリーダ（個人情報取得手段）
３      照明器具（設備）
４      冷暖房器具（空調機器、設備）
５      ＩＣタグ（素子）
６      管理サーバ
６４    処理部（席情報設定手段、席情報消去手段、設備制御手段）
６５    記憶部（個人情報記憶手段）
６５Ａ  利用者データ
６５Ａ１  利用者ＩＤ（個人識別情報、素子のデータ、生体情報）
６５Ａ２  照度（運転条件）
６５Ａ３  温度（運転条件）
６５Ａ５  座席ＩＤ（席識別情報）
７      中央制御装置（設備制御手段）
【図１】
2010151341.tif 000003
【図２】
2010151341.tif 000004
【図３】
2010151341.tif 000005
【図４】
2010151341.tif 000006
【図５】
2010151341.tif 000007
【図６】
2010151341.tif 000008
【図７】
2010151341.tif 000009